(57)【要約】【課題】  内面が向かい合わせになった主板と共板とを含む細長閉鎖装置を提供すること。【解決手段】  第１の凹状横断面を持つ軟質の高分子材料から作られ、前記第１の横断面が厚い中央部を有し、かつ前記中央部から２つの側端部に向かって徐々に薄くなる、内面を持つ主板と、  第２の凹状横断面を持つ軟質の高分子材料から作られ、前記第２の横断面が厚い中央部を有し、かつ前記中央部から２つの側端部に向かって徐々に薄くなる、前記主板の前記内面に対向して配置される内面を持つ共板とを含むことからなる。【選択図】  図１
0003105411.tif 000002
【実用新案登録請求の範囲】
【請求項１】
第１の凹状横断面を持つ軟質の高分子材料から作られ、前記第１の横断面が厚い中央部を有し、かつ前記中央部から２つの側端部に向かって徐々に薄くなる、内面を持つ主板と、
第２の凹状横断面を持つ軟質の高分子材料から作られ、前記第２の横断面が厚い中央部を有し、かつ前記中央部から２つの側端部に向かって徐々に薄くなる、前記主板の前記内面に対向して配置される内面を持つ共板とを含むことを特徴とする細長閉鎖装置。
【請求項２】
前記主板および前記共板の一方の側面にハンドル板を設けることができることを特徴とする請求項１に記載の細長閉鎖装置。
【請求項３】
前記主板および前記共板の一方の端部が平らになることを特徴とする請求項１に記載の細長閉鎖装置。
【請求項４】
前記主板および前記共板が各々、互いに係合する係合要素を内面に有することを特徴とする請求項１に記載の細長閉鎖装置。
【請求項５】
前記主板および前記共板が各々、互いに密着する接触翼を内面に一体に伸ばすことができることを特徴とする請求項１に記載の細長閉鎖装置。
【請求項６】
前記主板および前記共板が各々、互いに噛合するファスナを受ける凹状チャンバを内面に備えることを特徴とする請求項１に記載の細長閉鎖装置。
【請求項７】
前記主板および前記共板の前記係合要素がそれぞれほぞおよび溝であることを特徴とする請求項１に記載の細長閉鎖装置。
【請求項８】
前記２つの接触翼が各々係合要素を備え、前記係合要素がほぞおよび溝であることを特徴とする請求項１に記載の細長閉鎖装置。
【請求項９】
中央プッシュ・アームを持つスライダをさらに含み、前記スライダが接合された主板および共板に嵌合して、前記中央アームが接合された主板および共板と同一の移動方向を有することができることを特徴とする請求項１に記載の細長閉鎖装置。
【考案の詳細な説明】
【技術分野】
【０００１】
本考案は、一種の細長閉鎖装置に関し、特に、外力により分離可能な２つの係合要素を設けて開閉動作を行わせる細長閉鎖装置に関する。
【背景技術】
【０００２】
従来、ボタン、接着性のバックル・ベルト、またはジッパー等の細長閉鎖装置が日常生活で広く使用されており、前記細長閉鎖装置はそれぞれ固有の特徴を有する。
【０００３】
実際には、追求する細長閉鎖装置の目的および機能は、簡単な操作と正確な開閉である。勿論、コストも考慮しなければならない要因の１つである。耐水性等の機能が必要な特別な分野の場合、気密性および耐水性の機能を効果的に満たすことができれば、細長閉鎖装置ははるかに有用なものとなる。従来のジッパーを例にとると、気密性および耐水性の要件を満たすことが実際に必要である。
【考案の開示】
【考案が解決しようとする課題】
【０００４】
本考案の目的は、内面が向かい合わせになった主板と共板とを含む細長閉鎖装置を提供することである。主板と共板とは軟質の高分子材料から作られ、厚い中央部が２つの薄い側端部に向かって徐々に薄くなるように延びる凹状横断面を有し、細長閉鎖装置が気密性の効果を高めて気密性および耐水性の機能を果たすことができるようになっている。
【課題を解決するための手段】
【０００５】
前記目的を達成するため、本考案の細長閉鎖装置は、
第１の凹状横断面を持つ軟質の高分子材料から作られ、前記第１の横断面が厚い中央部を有し、かつ前記中央部から２つの側端部に向かって徐々に薄くなる、内面を持つ主板と、
第２の凹状横断面を持つ軟質の高分子材料から作られ、前記第２の横断面が厚い中央部を有し、かつ前記中央部から２つの側端部に向かって徐々に薄くなる、前記主板の前記内面に対向して配置される内面を持つ共板とを含むことからなる。
又、前記主板および前記共板の一方の側面にハンドル板を設けることができることが好適である。
又、前記主板および前記共板の一方の端部が平らになることが好適である。
又、前記主板および前記共板が各々、互いに係合する係合要素を内面に有することが好適である。
又、前記主板および前記共板が各々、互いに密着する接触翼を内面に一体に伸ばすことができることが好適である。
又、前記主板および前記共板が各々、互いに噛合するファスナを受ける凹状チャンバを内面に備えることが好適である。
又、前記主板および前記共板の前記係合要素がそれぞれほぞおよび溝であることが好適である。
又、前記２つの接触翼が各々係合要素を備え、前記係合要素がほぞおよび溝であることが好適である。
さらに、中央プッシュ・アームを持つスライダをさらに含み、前記スライダが接合された主板および共板に嵌合して、前記中央アームが接合された主板および共板と同一の移動方向を有することができることが好適である。
【考案を実施するための最良の形態】
【０００６】
本考案は、以下の説明および添付の図面を参照することにより、より完全に理解することができる。
【０００７】
図１〜１０を参照すると、本考案による細長閉鎖装置は、基本的に主板１と共板２とを含む。
【０００８】
主板１と共板２とは軟質材料から作られ、好ましくは横断面が互いに同一になるように対向して配置される。２枚の板の各々の端部は、図９に示す通り互いにぴったりと接合されるように厚さが薄くなっている。さらに、主板１または共板２にハンドル板３が設けられて、２枚の板１、２を分離させる場合に容易に力を加えることができるようになっている。
【０００９】
ぴんと張った状態で固定されるようにするために、図１に示す通り各々が凹形状を有して向かい合わせになった主板１および共板２は、軟質材料から作られているため、外側からの力によって押し潰されると内面を密着させることができる。このようにして、細長閉鎖装置が形成される。すなわち、主板１と共板２とが対向して物品に接合される場合に物品の開閉が可能になる。２枚の板１、２の接合力の大きさは２枚の板１、２間の接触面積に比例する。さらに、気密性の効果を高めるために、主板１および共板２の各々の厚さが一定していない。すなわち、２枚の板１、２の各々は、厚い中央部を有し、２つの側端部に向かってそれぞれ薄くなっている。
【００１０】
図２では、主板１および共板２が各々、係合要素１１、２１を内面に有する。図２では、主板１の係合要素１１が溝であり、共板２の係合要素２１が細長のほぞであって、溝がほぞに嵌合することが見て取れる。勿論、溝を共板２に設けて、ほぞを主板１に設けることもできる。係合要素１１、２１は溝およびほぞに限定されず、他のタイプの固定装置を使用してもよいことに注目されたい。
【００１１】
図３では、主板１および共板２が各々、接触翼１２、２２を内面に一体に伸ばして、接触翼１２、２２を互いに密着させることができるようになっている。接触翼１２、２２の各々は、中央部から２つの側端部に向かって厚さが薄くなる凹形状を有するため、二重の気密性の効果が得られる。
【００１２】
図４では、図３に示す２つの接触翼１２、２２が係合要素１２１、２２１を備え、主板１と共板２との係合の効果を高めている。
【００１３】
図５では、主板１および共板２が各々、接続板１３、２３を外面の中央位置から主板１および共板２に垂直になるように外側に伸ばしている。接続板１３、２３は外部接続に使用される。図６では、主板１および共板２が各々、延長板１４、２４を外部接続用に外面の中央位置から垂直に伸ばしている。
【００１４】
図７では、主板１および共板２が各々、ファスナ１５１、２５１に接合される凹状チャンバ１５、２５を内面に備える。このようにして、ジッパーを持つ細長閉鎖装置が形成される。
【００１５】
図８ａおよび８ｂでは、細長閉鎖装置のための駆動装置が設けられる。主板１および共板２を囲むスライダ４が図８ａに示される。スライダ４は中央位置に垂直プッシュ・アーム４１を有し、主板１および共板２に嵌合すると作動されて２枚の板１、２に沿って摺動し、２枚の板１、２がスライダ４の通る部分で互いにぴったりと接合される。同様に、前端部のスライダ４が作動されて２枚の接合された板１、２を押し開け、分離状態を形成する。
【００１６】
本考案の細長閉鎖装置に配置された主板１および共板２は、接触時に気密性の効果をもたらすことができ、湿気の防止に非常に効果的である。さらに、細長閉鎖装置は安価な軟質の高分子材料から作ることができ、気密性および耐水性の要件を効果的に満たすことができる。
【００１７】
本考案について好ましい実施形態を参照して説明したが、添付の実用新案登録請求の範囲により定義される本考案の精神を逸脱することなく、修正または変更を容易に加えることができることを理解されたい。
【図面の簡単な説明】
【００１８】
【図１】本考案による基本型の細長閉鎖装置の横断面を示す平面図である。
【図２】内面に固定装置を対向して設けた、図１に示す基本型の細長閉鎖装置の平面図である。
【図３】内面に複数の翼を設けた、図１に示す基本型の細長閉鎖装置の平面図である。
【図４】固定装置と複数の翼とを対向して設けた、図１に示す基本型の細長閉鎖装置の平面図である。
【図５】外面に水平接合板を加えた状態を示す、本考案による細長閉鎖装置の斜視図である。
【図６】外面に垂直板を加えた状態を示す、本考案による細長閉鎖装置の斜視図である。
【図７】内面にファスナを設けた状態を示す、本考案による細長閉鎖装置の平面図である。
【図８ａ】本考案による細長閉鎖装置に嵌合するスライダを示す斜視図である。
【図８ｂ】本考案による細長閉鎖装置に外側から嵌合された、図８ａのスライダを示す斜視図である。
【図９】本考案による細長閉鎖装置の末端を封止した状態を示す斜視図である。
【図１０】ハンドル板を細長閉鎖装置に加えた状態を示す斜視図である。
【符号の説明】
【００１９】
１  主板
２  共板
【図１】
0003105411.tif 000003
【図２】
0003105411.tif 000004
【図３】
0003105411.tif 000005
【図４】
0003105411.tif 000006
【図５】
0003105411.tif 000007
【図６】
0003105411.tif 000008
【図７】
0003105411.tif 000009
【図８ａ】
0003105411.tif 000010
【図８ｂ】
0003105411.tif 000011
【図９】
0003105411.tif 000012
【図１０】
0003105411.tif 000013